(57)【要約】      （修正有）【課題】内歯車用の外歯車状砥石のドレッシング方法、及びドレッサーセットを提供する。【解決手段】被加工内歯車を加工する外歯車状砥石１を準備するステップと、外歯車状砥石の歯先面をドレッシングする円筒形状の第１ドレッサー３を準備するステップと、外歯車状砥石の歯面をドレッシングする外歯車形状の第２ドレッサー４を準備するステップと、所定の交差角で、外歯車状砥石の軸線と、第１ドレッサーの軸線とを交差させた状態で、外歯車状砥石と第１ドレッサーとを当接させ、外歯車状砥石と第１ドレッサーとを回転させながら、外歯車状砥石の歯先面をドレッシングするステップと、所定の交差角で、外歯車状砥石の軸線と、第２ドレッサーの軸線とを交差させた状態で、外歯車状砥石と第２ドレッサーとを噛み合わせ、外歯車状砥石と第２ドレッサーとを回転させながら、外歯車状砥石の歯面をドレッシングするステップと、を備えている。【選択図】図６
2018144186.tif 000002
【特許請求の範囲】
【請求項１】
被加工内歯車を加工する外歯車状砥石を準備するステップと、
前記外歯車状砥石の歯先面をドレッシングする円筒形状の内壁面を有する第１ドレッサーを準備するステップと、
前記外歯車状砥石の歯面をドレッシングする外歯車形状の第２ドレッサーを準備するステップと、
所定の交差角で、前記外歯車状砥石の軸線と、前記第１ドレッサーの軸線とを交差させた状態で、前記外歯車状砥石と前記第１ドレッサーの内壁面とを当接させ、当該外歯車状砥石及び当該第１ドレッサーの少なくとも一方を回転させながら、前記外歯車状砥石の歯先面をドレッシングするステップと、
前記所定の交差角で、前記外歯車状砥石の軸線と、前記第２ドレッサーの軸線とを交差させた状態で、前記外歯車状砥石と前記第２ドレッサーとを噛み合わせ、当該外歯車状砥石と当該第２ドレッサーとを回転させながら、前記外歯車状砥石の歯面をドレッシングするステップと、
を備えている、外歯車状砥石のドレッシング方法。
【請求項２】
前記第２ドレッサーは、各歯面が歯厚方向に凸または凹となるように形成されている、請求項１に記載の外歯車状砥石のドレッシング方法。
【請求項３】
前記第１ドレッサーの内壁面の軸方向の長さは、前記外歯車状砥石の歯幅よりも大きい、請求項１または２に記載の外歯車状砥石のドレッシング方法。
【請求項４】
前記交差角は、歯車精度を安定させるべく、使用前の前記外歯車状砥石を基準としたドレッシングの量に応じて変動される、請求項１から３のいずれかに記載の外歯車状砥石のドレッシング方法。
【請求項５】
前記外歯車状砥石の歯面をドレッシングするステップでは、前記外歯車状砥石及び前記第２ドレッサーを、互いの軸線が近接するように移動させることのみで当該ドレッシングを行う、請求項１から４のいずれかに記載の外歯車状砥石のドレッシング方法。
【請求項６】
前記外歯車状砥石の歯先面をドレッシングするステップでは、前記外歯車状砥石及び前記第１ドレッサーを、互いの軸線が近接するように移動させることのみで、当該ドレッシングを行う、請求項１から４のいずれかに記載の外歯車状砥石のドレッシング方法。
【請求項７】
被加工内歯車を加工する外歯車状砥石をドレッシングするドレッサーセットであって、
前記外歯車状砥石の歯先面をドレッシングする円筒形状の内壁面を有する第１ドレッサーと、
前記外歯車状砥石の歯面をドレッシングする外歯車形状の第２ドレッサーと、
を備えている、ドレッサーセット。
【請求項８】
前記第２ドレッサーは、各歯面が歯厚方向に凸または凹となるように形成されている、請求項７に記載のドレッサーセット。
【発明の詳細な説明】
【技術分野】
【０００１】
本発明は、外歯車状砥石のドレッシング方法及びドレッサーセットに関する。
【背景技術】
【０００２】
歯車の製造においては、歯車材料に歯切り加工を行って歯を形成した後、熱処理を施し、その後、仕上げ加工として砥石により研削加工を行う。そして、砥石は、使用が進むと形状が変化するため、定期的にドレッシングを行い、形状を整えている。このような砥石のドレッシングについては種々の方法があるが、特に、はすば歯車の内歯車用の砥石のドレッシングについては、特許文献１に開示がある。この文献に係るドレッシング方法では、樽型の外歯車状の砥石をドレッシングするために、外歯車状のドレスギアを準備する。ここで用いられる砥石及びドレスギアの歯は回転軸回りにらせん状に延びている。そして、砥石の軸線とドレスギアの軸線とが交差するように、砥石とドレスギアを配置し、これらを噛み合わせて回転させる。さらに、砥石のねじれた歯面をドレッシングするため、ドレスギアは、砥石と噛み合う仮想的な内歯車（砥石の仕上げ加工対象）に沿って移動させる。
【先行技術文献】
【特許文献】
【０００３】
【特許文献１】特開２０１１−２１８４６０号公報
【発明の概要】
【発明が解決しようとする課題】
【０００４】
上記のように、特許文献１のドレッシング方法では、砥石とドレスギアとを近接させるのに加え、ドレスギアを仮想的な内歯車に沿って移動させている。そのため、この方法では、ドレスギアを複雑に移動させながら、ドレッシングを行う必要があり、制御が容易ではないという問題がある。本発明はこの課題を解決するものであり、簡易な制御により、ドレッシングを行うことができる内歯車用の外歯車状砥石のドレッシング方法、及びドレッサーセットを提供することを目的とする。
【課題を解決するための手段】
【０００５】
本発明に係る外歯車状砥石のドレッシング方法は、被加工内歯車を加工する外歯車状砥石を準備するステップと、前記外歯車状砥石の歯先面をドレッシングする円筒形状の第１ドレッサーを準備するステップと、前記外歯車状砥石の歯面をドレッシングする外歯車形状の第２ドレッサーを準備するステップと、所定の交差角で、前記外歯車状砥石の軸線と、前記第１ドレッサーの軸線とを交差させた状態で、前記外歯車状砥石と前記第１ドレッサーとを当接させ、当該外歯車状砥石と当該第１ドレッサーとを回転させながら、前記外歯車状砥石の歯先面をドレッシングするステップと、前記所定の交差角で、前記外歯車状砥石の軸線と、前記第２ドレッサーの軸線とを交差させた状態で、前記外歯車状砥石と前記第２ドレッサーとを噛み合わせ、当該外歯車状砥石と当該第２ドレッサーとを回転させながら、前記外歯車状砥石の歯面をドレッシングするステップと、を備えている。
【０００６】
この構成によれば、第１ドレッサーが円筒状の内壁面を有するように形成されているため、第１ドレッサーの内壁面に砥石を交差させた状態で近接させると、砥石の歯先面においては、軸方向の両端が削られていき、最終的に、加工時において被加工内歯車と干渉する部分が削り取られた形状にすることができる。したがって、第１ドレッサーの形状を複雑にすることなく、砥石の歯先面を被加工内歯車の加工に適した形状にドレッシングすることができる。また、例えば、第１ドレッサーを鼓型に形成し、その外周面によって砥石のドレッシングを行う場合には、交差角によって、複数の第１ドレッサーを準備しておく必要があるが、本発明に係る第１ドレッサーは、交差角が変化しても、一種類のみで対応することができる。
【０００７】
上記ドレッシング方法において、前記第２ドレッサーは、各歯面が幅方向に対し凸または凹となるように形成することができる。
【０００８】
第２ドレッサーの歯面は、ドレッシングされる砥石の態様、ひいては仕上げ加工される内歯車の形状によって変化させることができる。すなわち、交差角を設ける場合には、第２ドレッサーの歯面を歯厚方向に凹形状とすることができ、これに伴って、砥石の歯面は歯幅方向に凸状となる。一方、内歯車の歯にクラウニングを施す場合には、第２ドレッサーの歯面を歯厚方向に凸形状に形成することができる。このように、要求される砥石や内歯車の形態に応じて、第２ドレッサーの歯面を凸状、凹状、あるいは平坦にすることができる。また、第２ドレッサーが、予め、砥石のドレッシング後の形状と対応するような形状になっているため、第２ドレッサーを複雑に移動させることなく、主として第２ドレッサーと砥石とを近接させるだけで、砥石の歯面のドレッシングを行うことができる。したがって、制御が容易となる。
【０００９】
上記ドレッシング方法においては、前記第１ドレッサーの内壁面の軸方向の長さを、前記外歯車状砥石の歯幅よりも大きくすることができる。これにより、砥石の歯先面全体が第１ドレッサーの内壁面に接するため、第１ドレッサーまたは砥石を軸方向に移動させることなく、ドレッシングすることができる。
【００１０】
上記ドレッシング方法において、前記交差角は、歯車精度を安定させるべく、使用前の前記外歯車状砥石を基準としたドレッシングの量に応じて変動することができる。
【００１１】
上記ドレッシング方法において、前記外歯車状砥石の歯面をドレッシングするステップでは、前記外歯車状砥石及び前記第２ドレッサーを、互いの軸線が近接するように移動させることのみで当該ドレッシングを行うことができる。
【００１２】
上記ドレッシング方法において、前記外歯車状砥石の歯先面をドレッシングするステップでは、前記外歯車状砥石及び前記第１ドレッサーを、互いの軸線が近接するように移動させることのみで、当該ドレッシングを行うことができる。
【００１３】
また、本発明に係るドレッサーセットは、被加工内歯車を加工する外歯車状砥石をドレッシングするドレッサーセットであって、前記外歯車状砥石の歯先面をドレッシングする円筒形状の内壁面を有する第１ドレッサーと、前記外歯車状砥石の歯面をドレッシングする外歯車形状の第２ドレッサーと、を備えている。
【００１４】
上記ドレッサーセットにおいて、前記第２ドレッサーは、各歯面が歯厚方向に凸または凹となるように形成することができる。
【発明の効果】
【００１５】
本発明によれば、簡易な制御により、外歯車状砥石のドレッシングを行うことができる。
【図面の簡単な説明】
【００１６】
【図１】本発明に係る外歯車状砥石と内歯車が噛み合った状態を示す斜視図である。
【図２】図１の砥石を径方向から見た一部概略拡大図である。
【図３】第１ドレッサーの斜視図である。
【図４】第２ドレッサーの斜視図である。
【図５】第２ドレッサーを径方向から見た一部概略拡大図である。
【図６】本発明に係るドレッシング装置の一実施形態を示す概略平面図である。
【図７】第１ドレッサーによるドレッシングを示す図である。
【図８】第１ドレッサーによるドレッシングを説明する図である。
【図９】第１ドレッサーによるドレッシングを示す図である。
【図１０】第１ドレッサーによるドレッシングを示す図である。
【図１１】第２ドレッサーによるドレッシングを示す図である。
【図１２】交差角に応じた第２ドレッサー及び砥石の横断面図である。
【図１３】クラウニング量に応じた第２ドレッサー及び砥石の横断面図である。
【発明を実施するための形態】
【００１７】
以下、本発明に係る外歯車状砥石のドレッシング方法及びドレッシング装置の一実施形態について、図面を参照しつつ説明する。
【００１８】
図１に示すように、本実施形態に係る外歯車状砥石（以下、単に「砥石」ということがある）１は、はすば歯車の内歯車２（歯は図示省略）を仕上げ加工するためのものである。より詳細に説明すると、この砥石１は、外歯車状に形成され、外周面が回転軸方向に沿って円弧状に凸となるような樽型をなしており、歯１１が回転軸回りに螺旋状に延びている。また、図２に示すように、砥石１の各歯１１の歯面１１１は、歯幅方向に沿って、円弧状に外側に膨らんでいる。このように、砥石１が樽型に形成され、さらに歯面１１１が円弧状に膨らんでいるため、次に説明するように、内歯車２の軸線Ａ１に対して、砥石の軸線Ａ２を交差させた状態で両者を噛み合わせることができる。なお、図２は、説明の便宜上、１つの歯１１のみを示している。
【００１９】
そして、内歯車２を仕上げ加工する際には、砥石１の軸線Ａ２を内歯車２の軸線Ａ１に対して、所定の角度（交差角）αだけ傾斜させた上で、砥石１と内歯車２とを噛み合わせる。その後、砥石１と内歯車２とを同期回転させつつ、砥石１を内歯車２に近接させることで、内歯車２を仕上げ加工する。なお、内歯車２のみを回転駆動させ、砥石１を内歯車２と連れ周りさせることで、仕上げ加工することもできる。
【００２０】
本実施形態においては、この砥石１をドレッシングするために、２つのドレッサー（ドレッサーセット）、つまり第１ドレッサー３と、第２ドレッサー４とを用いる。図３は第１ドレッサーの斜視図、図４は第２ドレッサーの斜視図である。図３に示すように、第１ドレッサー３は、砥石１の歯先面１１２をドレッシングするためのものであり、円筒状に形成されている。この第１ドレッサー３は、内壁面３１も円筒状に形成されており、軸線Ａ３回りに回転されるようになっている。そして、この第１ドレッサー３の内径は、内歯車２の歯底における内径に対応している。また、この第１ドレッサー３の軸線Ａ３方向の内壁面３の幅Ｄ２は、砥石１の歯幅Ｄ１よりも大きく形成されている。さらに、第１ドレッサー３の内壁面３１は、例えば、ダイヤモンドの砥粒を電着したものとすることができるが、これに限定されるものではない。
【００２１】
図４に示すように、第２ドレッサー４は、砥石１の歯面１１１をドレッシングするためのものであり、外歯車状に形成されている。そして、第２ドレッサー４の歯４１は、回転軸Ａ４周りに螺旋状に延びている。また、図５に示すように、各歯４１の歯面４１１は、歯厚方向に円弧状に窪んでいる。より詳細には、各歯４１の歯面４１１は、歯幅方向Ｂ４の中間部が最も窪むように、径方向から見て円弧状に形成されている。なお、図５は、説明の便宜上、１つの歯４１のみを示している。
【００２２】
次に、砥石１をドレッシングするためのドレッシング装置について、図６を参照しつつ説明する。図６は、ドレッシング装置の概略構成を示す平面図である。図６に示すように、このドレッシング装置は、横置き型のドレッシング装置であり、砥石１を着脱自在に支持する第１支持部５１と、上記いずれかのドレッサー３，４を着脱自在に支持する第２支持部５２と、を備えている。第１支持部５１は、砥石１の軸線Ａ１が水平方向を向くように砥石１を支持するとともに、第１モータ（第１駆動部）６１により回転し、砥石１を軸線Ａ１回りに回転駆動させる。このときの第１支持部５１の回転軸を軸線Ｃ１と称することとする。一方、第２支持部５２は、第１支持部５１と概ね平行に、水平方向に延びるように配置されており、第２モータ（第２駆動部）６２により回転し、第１または第２ドレッサー３，４をその軸線Ａ３，Ａ４回りに回転させる。このときの第２支持部５２の回転軸を軸線Ｃ２と称することとする。
【００２３】
また、第１支持部５１は、軸線Ｃ１と直交する軸線Ｃ３回りにも回転可能に支持されている。すなわち、軸線Ｃ３は、砥石１といずれかのドレッサー３，４が噛み合う位置を水平に通り、第１支持部５１の軸線Ｃ１と直交する軸線であり、第１支持部５１がこの軸線Ｃ３回りに回転することで、砥石１の軸線Ａ２（Ｃ１）と、ドレッサー３，４の軸線Ａ３，Ａ４（Ｃ２）とを交差させることができ、これが交差角となる。また、第１支持部５１を軸線Ｃ３回りに回転させるために、第３モータ（第３駆動部）６３が設けられている。
【００２４】
さらに、第１支持部５１の軸線Ｃ１と、第２支持部５２の軸線Ｃ２とを近接させるために、第１支持部５１は、水平方向に移動可能に構成されており、この移動を行うための第４モータ（第４駆動部）６４が設けられている。
【００２５】
以上のようなドレッシング装置を用いることで、砥石１は、次のようにドレッシングされる。まず、第１支持部５１に砥石１を取り付けるとともに、第２支持部５２に第１ドレッサー３を取り付ける。そして、砥石１を第１ドレッサー３の内部空間に挿入するとともに、第３モータ６３を駆動し、砥石１の軸線Ａ１と第１ドレッサー３の軸線Ａ３とが交差するように、第２支持部５２を回転させる。このときの交差角αは、例えば、−１５〜＋１５度とすることができる。
【００２６】
続いて、第１モータ６１及び第２モータ６２を駆動し、図７に示すように、砥石１及び第１ドレッサー３を軸回りに回転させる。このとき、砥石１の歯１１の外周面をドレッシングするため、砥石１の回転速度と第１ドレッサー３の回転速度とは異なるようにし、特に、砥石１の回転速度を高くすることが好ましい。なお、いずれか一方を停止させた状態で、他方を回転させるようにしてもよい。これに続いて、第４モータ６４を駆動して、第１支持部５１を水平移動させ、砥石１と、第１ドレッサー３とを近接させる。こうして、第１ドレッサー３の内周面により、砥石１の外形を構成する面、つまり砥石１の歯先面１１２をドレッシングする。
【００２７】
このとき、砥石１の歯１１の外形は次のように形成される。この点について、図８〜図１０を参照しつつ説明する。図８（ａ）に示すように、砥石１の軸線Ａ２と第１ドレッサー３の軸線Ａ３とが平行な場合、砥石１の歯先面１１２と第１ドレッサー３の内壁面３１とは、直線Ｌに沿って、線接触する。しかし、第１ドレッサー３の内壁面３１は湾曲しているため、砥石１の軸線Ａ２を第１ドレッサー３の軸線Ａ３と交差させると、図８（ｂ）に示すように、砥石１の歯先面１１２において、軸方向に延びる線の両端部Ａ，Ｂが、第１ドレッサー３の内壁面に接触し、線分Ａ−Ｂの中間部分は接触しない。したがって、この状態で第１ドレッサー３の内壁面３１及び砥石１を回転させつつ、両者を近接させると、図１０に示すように、砥石１の歯先面１１２は、軸線方向Ａ２の両側から徐々に削られていき、最終的に、径方向外方に凸の円弧状に形成され、全体として樽型となるようにドレッシングされる。また、第１ドレッサー３の軸方向の幅Ｄ２は、砥石１の歯幅Ｄ１よりも大きいため、砥石１及び第１ドレッサー３の軸方向の移動は不要であるが、必要に応じて、砥石１を軸方向に移動させながら、ドレッシングを行うこともできる。
【００２８】
こうして、第１ドレッサー３により、砥石１の歯先面１１２がドレッシングされると、第４モータ６４を駆動して、砥石１が第１ドレッサー３の内部空間から離脱するように、第１支持部５１を第２支持部５２から離間し、すべてのモータを停止する。これに続いて、第１ドレッサー３を第２支持部５２から取り外し、第２ドレッサー４を第２支持部５２に取り付ける。そして、図１１に示すように、第１モータ６１及び第２モータ６２を駆動し、砥石１及び第２ドレッサー４を軸回りに回転させる。また、第４モータ６４を駆動し、砥石１を第２ドレッサー４に近接させる。このとき、交差角αは、第１ドレッサー３によるドレッシングを行ったときと同じにしておく。また、第１モータ６１と第２モータ６２とは、砥石１の歯１１と第２ドレッサー４の歯４１が噛み合うように同期回転させる。
【００２９】
こうして、第２ドレッサー４の歯４１により、砥石１の歯１１がドレッシングされる。すなわち、第２ドレッサー４において、窪んだ歯面４１１が砥石１の歯面１１１に接触し、砥石１の歯面１１１は、円弧状に突出するようにドレッシングされる。以上の工程を経て、砥石のドレッシングが完了する。
【００３０】
以上のように、本実施形態によれば、第１ドレッサー３が円筒状の内壁面を有するように形成されているため、第１ドレッサー３の内壁面３１に砥石１を交差させた状態で近接させると、砥石１の歯先面１１２においては、軸方向の両端から削られていき、最終的に、加工時において内歯車２と干渉する部分が削り取られた形状にすることができる。したがって、第１ドレッサー３の形状を複雑にすることなく、砥石１の歯先面１１２を内歯車２の加工に適した形状にドレッシングすることができる。また、例えば、第１ドレッサーを鼓型に形成し、その外周面によって砥石１のドレッシングを行う場合には、交差角によって、複数の第１ドレッサー３を準備しておく必要があるが、本実施形態に係る第１ドレッサー３は、交差角が変化しても、一種類のみで対応することができる。
【００３１】
そして、砥石１の歯先面１１２は、上記のように内歯車２と干渉する部分のみが削り取られた形状になるため、砥石１によって内歯車２を加工するときには、砥石１を軸方向に最小限動かすだけで（トラバース量を最小限にして）、加工を行うことができる。例えば、従来技術のような樽型に形成されている砥石では、砥石と内歯車が干渉する部分以外もドレッシングが削られているため、内歯車を加工する際には、トラバース量を大きくしなければならない。したがって、内歯車を、砥石が完全に貫通するように移動させなければならない。そのため、例えば、軸方向の一端が閉じられた内歯車の加工を行うことができない。一方、本実施形態に係る方法で加工された砥石１は、上記のように、内歯車２と干渉する部分のみが削り取られた形状になるため、トラバース量を最小限にとどめつつ、内歯車２の加工を行うことができる。したがって、軸方向の一端が閉じられた内歯車であっても、加工を行うことができる。
【００３２】
また、第２ドレッサー４の歯面４１１が歯厚方向に円弧状に窪んだ形状となっているため、第２ドレッサー４を砥石に対して、交差させた状態で近接させるだけで砥石１のドレッシングを行うことができる。すなわち、第２ドレッサー４が、予め、砥石１のドレッシング後の形状と対応するような形状になっているため、第２ドレッサー４を複雑に移動させることなく、近接させるだけでドレッシングを行うことができる。
【００３３】
なお、同一の砥石１に対して、定期的にドレッシングを行う場合、第１及び第２ドレッサー３，４と砥石１との交差角αは、歯車精度を安定させるべくその都度変動させる。すなわち、砥石は、使用により形状が変化するため、前回のドレッシングが完了したときの（使用前の）砥石の形状を基準とし、今回のドレッシング量に応じて第３モータ６３を駆動制御し、交差角を変動させる。
【００３４】
以上、本発明の一実施形態について説明したが、本発明は上記実施形態に限定されるものではなく、その趣旨を逸脱しない限りにおいて、種々の変更が可能である。
【００３５】
例えば、上記実施形態では、第１ドレッサー３の軸方向の幅Ｄ２を、砥石１の歯幅Ｄ１よりも大きくしているが、砥石１の歯幅Ｄ１よりも狭い幅の第１ドレッサー３を用いてもよい。この場合、第１ドレッサー３を軸方向に移動させながら、ドレッシングを行えばよい。
【００３６】
また、上記実施形態では、第２ドレッサー４の各歯面４１１が歯幅方向に沿って、円弧状に窪んでいるが、これに限定されるものではない。この点について、図１２及び図１３を参照しつつ詳細に説明する。図１２及び図１３は、いずれも第２ドレッサー４及び砥石１の歯の横断面図である。
【００３７】
まず、このような歯面の形状は、交差角によって相違する。図１２（ａ）は交差角が０度で、クラウニングを施さない場合の歯面の形状を示しており、この場合には、第２ドレッサー４の歯面４１１及び砥石１の歯面１１１は平坦であり、歯厚方向に凸または凹形状に形成しない。そして、この状態から交差角を設ける場合には、図１２（ｂ）に示すように、第２ドレッサー４の歯面４１１の窪みを大きくする。第２ドレッサー４の歯面の形状をこのようにすると、砥石１の歯面１１１は円弧状に凸形状となるように形成される。そして、交差角が大きくなるほど、第２ドレッサー４の歯面４１１の凹形状の凹量が大きくなり、これに対応して、砥石１の歯面１１１の凸量が大きくなる。なお、交差角を大きくするほど、内歯車２に対する仕上げのための切削性が向上する。
【００３８】
一方、内歯車２にクラウニングを施す場合には、第２ドレッサー４の歯面４１１を凸形状に形成する。この点について、図１３を参照しつつ説明する。まず、図１３（ａ）は、図１２（ａ）と同じ形態を示している。この状態からクラウニングを施すには、図１３（ｂ）に示すように、第２ドレッサー４の歯面４１１を凸形状に形成する。そして、これに対応するように、砥石１の歯面１１１は凹形状となる。また、クラウニング量が大きくなるにしたがって、第２ドレッサー４の歯面の凸量は大きくなり、砥石１の歯面１１１の凹量も大きくなる。このようにして、内歯車２にクラウニングを形成すると、内歯車２の高強度化が図れるとともに、低騒音化にも寄与する。
【００３９】
以上、交差角を設けた場合、及びクラウニングを施す場合について、個別に説明したが、これらを組み合わせることもできる。すなわち、交差角を大きくしつつ、クラウニング量を大きくすることもできるが、その場合には、上記図１２及び図１３に示した方法を適宜組み合わせればよい。すなわち、第２ドレッサー４の歯面４１１及び砥石１の歯面１１１の形状は、要求される内歯車２のクラウニング量や、設定される交差角の大きさに応じて、凹状、凸状、あるいは平坦な形状に変化させることができる。なお、図１２及び図１３は交差角やクラウニング量を変化させたときの各歯面１１１，４１１の形状の傾向を示すものであり、正確な形状を示すものではない。
【００４０】
上記の例では、交差角を設ける場合、第２ドレッサー４の歯面４１１を円弧状に凹にしているが、これに限定されるものではない。すなわち、円弧状以外であっても、内歯車２の形状を考慮して、これに対応するような砥石１となるように、凹形状に形成されていればよい。また、凹形状を歯幅方向に沿って２以上設けることもできる。
【００４１】
上記実施形態では、歯面のドレッシングを行う際に、砥石１と第２ドレッサー４を同期回転させた後、両者を近接させて噛み合わせているが、砥石１と第２ドレッサー４とを噛み合わせた後、いずれか一方を回転駆動することで、両者を連れ回りさせながら、ドレッシングを行うこともできる。
【００４２】
上記実施形態に係るドレッシング装置では、第１支持部５１を、第２支持部５２に対して近接させているが、相対的に近接すればよいため、いずれを移動させてもよい。また、交差角αを設けるため、第１支持部５１を軸線Ｃ３回りに回転させているが、第２支持部５２を軸線Ｃ３回りに回転させてもよい。すなわち、交差角αを設けるために、相対的に少なくとも一方を回転させればよい。
【００４３】
また、上記ドレッシング装置は、横置き型であるが、縦置き型にも適用することができる。例えば、ドレッサーを上方から吊下げつつ回転させるようにし、砥石を下側から回転可能に支持するようにすることができる。このとき、交差角を設けるため、砥石を支持する支持部を回転可能に構成する必要がある。
【符号の説明】
【００４４】
１  ：砥石
２  ：内歯車
３  ：第１ドレッサー
３１  ：内壁面
４  ：第２ドレッサー
α  ：交差角
【図１】
2018144186.tif 000003
【図２】
2018144186.tif 000004
【図３】
2018144186.tif 000005
【図４】
2018144186.tif 000006
【図５】
2018144186.tif 000007
【図６】
2018144186.tif 000008
【図７】
2018144186.tif 000009
【図８】
2018144186.tif 000010
【図９】
2018144186.tif 000011
【図１０】
2018144186.tif 000012
【図１１】
2018144186.tif 000013
【図１２】
2018144186.tif 000014
【図１３】
2018144186.tif 000015